(57)【要約】【課題】  使用者のウォーキングの便利性及び安全性を同時に改善するためウォーキングと登山の両方のための回転構造体に可動スパック要素を備えたアイゼンを提供することにある。【解決手段】  本発明によるアイゼンは、ビンディングバンドと；登山靴のソールに装着するようにされた主プレートと；複数の支持軸と；支持軸に回転的に軸方向に結合された可動スパイク要素と；複数の支持軸に垂直に支持軸内に嵌合された複数のピンと；複数の回転ロックレバーとを有して成る。【選択図】    図２
2007330758.tif 000002
【特許請求の範囲】
【請求項１】
ビンディングバンドと；
登山靴のソールに装着するようにされ、両側にビンディングバンドを結合する接続孔を形成した複数の側部プレートを備えた主プレートと；
主プレートの側部プレートに外向きに軸方向に固定された複数の支持軸と；
支持軸に回転的に軸方向に結合され、しかもブレード型スパイク部片を備えた可動スパイク要素と；
複数の支持軸に垂直に支持軸内に嵌合された複数のピンと；
複数のピンに対して回転するようにピンに軸方向に結合され、可動スパイク要素の位置を変えるために使用者の操作によって可動スパイク要素を押圧する押圧カム面を備えた複数の回転ロックレバーと
を有して成ることを特徴とするアイゼン。
【請求項２】
可動スパイク要素が、側部プレートに向って突出した位置決め突出部を設けた円形プレート部品を備え、また側部プレートが、位置決め突出部を受ける垂直位置決め孔及び水平位置決め孔を備え、垂直位置決め孔が、可動スパイク要素を地面に垂直に立てた際のスパイク部片の位置にあり、また水平位置決め孔が、可動スパイク要素を地面に水平にねかせた際のスパイク部片の位置にあることを特徴とする請求項１に記載のアイゼン。
【請求項３】
主プレートが、互いに別個に成形した固定プレートと可動プレートとを備え、固定プレート及び可動プレートが幅調節要素によって互いに結合され、幅調節要素が固定プレートと可動プレートとの間の重なり長さを調節し、幅調節要素が、固定プレートに形成された複数のねじ孔と、可動プレートに長手方向に形成された複数のガイド孔と、これらのガイド孔を貫通してねじ孔にねじ結合される結合ボルトとであることを特徴とする請求項１に記載のアイゼン。
【請求項４】
複数の可動スパイク要素の複数の円形プレート部品に複数の保持突起体が形成され、複数の側部プレートに外方へ突出した複数のストッパーが形成され、これらストッパーが、複数の円形プレート部品の回転を許しながら複数の保持突起体を捕捉することにより複数の円形プレート部品の回転位置を調節することを特徴とする請求項２に記載のアイゼン。
【請求項５】
固定プレートに、その頂面に凹凸部分が形成され、また可動プレートには、連続して複数のラチェット溝が形成され、固定プレートの凹凸部分が可動プレートのラチェット溝に嵌合されることを特徴とする請求項３に記載のアイゼン。
【発明の詳細な説明】
【技術分野】
【０００１】
本発明は、アイゼンに関するものであり、特に使用者のウォーキングの便利性及び安全性を同時に改善するためウォーキングと登山の両方のための回転構造体に可動スパック要素を備えたアイゼンに関する。
【背景技術】
【０００２】
一般に、使用者が冬季に登山中に氷結した又は雪の積もった道を歩く際に、使用者が滑るのを防ぐためアイゼンが用いられている。かかるアイゼンは、登山靴を固定しかつ支持し、また下方部分に多数の可動スパイク要素を備えた主プレートと、登山靴のソールの下側に主プレートを固定するビンディングバンドとを有している。
【０００３】
言い換えれば、アイゼンは、氷結した又は雪の積もった道のような必要な区域においてビンディングバンドの両端部を結合することで登山靴のソールに装着され、そして冬季に山を登る際に不要な区域ではビンディングバンドの両端部の結合を解くことにより登山靴から外される。
【０００４】
従って、アイゼンは、使用者が滑落や滑って傷つくのを前もって防ぐために冬季に登山条件に応じて登山靴の底部に装着される。
【０００５】
使用者は、自分の登山靴にかかるアイゼンを装着する前に、登山条件を考えてアイゼンを用いるか否かを決めることができる。
【０００６】
しかし、上記のような従来のアイゼンでは、滑り防止用の可動スパイク要素は主プレートと一体であり簡単に下方へ曲がるので、使用者が自分の登山靴にアイゼンを取付けた後には道の状態に関係なくスパイク要素で歩き続けることになるという欠点がある。
【０００７】
従って、使用者は、スパイク要素を地面に向って突出させながら、氷結した又は雪の積もった道以外の地面又は岩場を歩かなければならず、使用者の登山を非常に困難にさせている。
【０００８】
これらの困難さは、下方へ突出ししかも主プレートと一体になった可動スパイク要素の構造に起因している。使用者が上記のアイゼンで長時間にわたって歩くと、使用者の疲労は増し、足首を捻挫する恐れがある。結局のところ、使用者はそれ以上歩くことができない。
【０００９】
上記の問題点を解消するために、使用者は、氷結していない道即ち岩場道の場合には自分の登山靴からアイゼンを外している。この場合、従来のアイゼンでは、登山靴からアイゼンを外すのに時間がかかり、アイゼンを外すことによって生じる遅れによって同じグループの他の人々に必然的に迷惑がかかるという問題点がなお存在する。
【００１０】
これに対して、使用者がアイゼンを着けたまま氷結していない道即ち岩場道歩くと、可動スパイク要素のため地面との安全な接触が実現できず、滑落のような危険な状況が起こり得る。
【発明の開示】
【発明が解決しようとする課題】
【００１１】
従って、本発明は先行技術の上記及びその他の欠点を解消することにある。
【００１２】
本発明によれば、発明の目的は、使用者のウォーキングにおける快適さと改善された安全性とを同時に解決するアイゼンを提供することにある。
【００１３】
本発明の別の目的は、ウォーキングの快適さ及び安全性を改善するため登山における道の状態に応じて適切な位置に融通できる可動スパイク要素を備えたアイゼンを提供することにある。
【００１４】
本発明の別の目的は、使用の快適さを改善するため、登山道の形態及び状況に応じて回転しかつ簡単な操作で固定できる可動スパイク要素を備えたアイゼンを提供することにある。
【００１５】
本発明のさらに別の目的は、競争力を高めるため他のものと区別でき、それにより高利益を上げることのできるアイゼンを提供することにある。
【課題を解決するための手段】
【００１６】
上記の目的を達成するために、本発明によれば、ビンディングバンドと、登山靴のソールに装着するようにされ、両側にビンディングバンドを結合する接続孔を形成した複数の側部プレートを備えた主プレートと、主プレートの側部プレートに外向きに軸方向に固定された複数の支持軸と、支持軸に回転的に軸方向に結合され、しかもブレード型スパイク部片を備えた可動スパイク要素と、複数の支持軸に垂直に支持軸内に嵌合された複数のピンと、複数のピンに対して回転するようにピンに軸方向に結合され、可動スパイク要素の位置を変えるために使用者の操作によって可動スパイク要素を押圧する押圧カム面を備えた複数の回転ロックレバーとを有して成るアイゼンが提供される。
【００１７】
従って、可動スパイク要素が地面に向って位置決めされることになる場合、或いはそうする必要がないない場合に、可動スパイク要素の位置はそれに応じて変えられ、そして押圧カム面は回転ロックレバーを操作することによりスパイク部片を押圧し、それにより可動スパイク要素は適正な位置に固定されるように側部プレートにしっかりと固定される。
【００１８】
また、各ねじ部材に塗布されねじ部材のねじ部の指定部位に伸ばされた緩み止め剤を乾燥させる乾燥装置を永久磁石の移動軌道に沿って設けた場合には、ねじ部材装着装置から受けたねじ部材が回動保持装置から送出される際には塗布した緩み止め剤が乾燥したて状態であり、そのままねじ部材を箱詰めすることができる。
【００１９】
従って、可動スパイク要素の位置は道の状態の変化に応じたウォーキングの快適さをもたらすように、氷結した道又は雪の積もった道のような道の状態に応じて直ちに変えられる。
【００２０】
本発明の目的、特徴及び利点は、添付図面に関連した以下の詳細な説明から明瞭に理解される。
【発明を実施するための最良の形態】
【００２１】
以下、添付図面を参照して本発明の好ましい実施形態について説明する。
図１の概略正面図には、登山靴に装着したアイゼンを示し、可動スパイク要素は主プレートに回転可能に設けられ、また主プレートはビンディングバンドによって登山靴のソールに固定されている。
【００２２】
図２の斜視図には、本発明の好ましい実施形態によるアイゼンを示している。図２において、可動スパイク要素は、主プレートの両側に設けられる外方側部プレートに回転可能に軸方向に結合されている。可動スパイク要素は、可動スパイク要素の回転状態を固定する回転ロックレバーに結合されている。
【００２３】
図３には、主プレートと可動スパイク要素の結合構造を分解斜視図で示している。
【００２４】
図４の拡大部分断面図には、主プレートと可動スパイク要素の結合状態を示している。図４において、可動スパイク要素は、側部プレートから外方へ突出される支持軸に結合され、また回転ロックレバーは可動スパイク要素を固定している。
【００２５】
図５の拡大部分図には、可動スパイク要素を外すための回転ロックレバーの動作状態を示している。図５において、回転ロックレバーは、支持軸に対して可動スパイク要素を回転させるために可動スパイク要素の固定状態を解放し、そして可動スパイク要素は予定の距離だけ側部プレートから離される。
【００２６】
図６及び図７には、それぞれ拡大部分平面図で、可動スパイク要素を固定するため回転ロックレバーの動作状態を示している。図６及び図７において、支持軸に対して回転させるため側部プレートから離された可動スパイク要素は、押圧カム面によって側部プレートに固定されるように側部プレートと密に接触し、押圧カム面は、回転ロックレバーを往復動させることによって側部プレートに対して可動スパイク要素を押圧する。
【００２７】
図８には部分断面図で主プレートを示し、主プレートの長さは幅調節要素によって調節される。図８において、主プレートは、互いに分離される固定プレートと可動プレートとを備え、固定プレート及び可動プレートは、幅調節要素によって主プレートの長さを調節するように互いに重ねられる。
【００２８】
図１及び図２に示すように、本発明によるアイゼン１は、滑りやすい氷結した道だけでなく通常の道でもスパイク部片の位置を短時間で変えることにより登山口に装着でき、それによりウォーキングの快適さと安全性とを同時に改善することができる。
【００２９】
アイゼン１は登山靴３に装着され、そして登山靴３のソールの下側に主プレート１０を位置決めした後、ビンディングバンド２を結合することによって登山靴に結合される。
【００３０】
主プレート１０は、登山靴３を支持するために主プレートの両側部を上向きに折畳むことによって側部プレート１１と一体に形成される。
【００３１】
側部プレートにはその端部分にビンディングバンド２を通す接続孔１２が形成され、それで、ビンディングバンド２は主プレートを登山靴３の上側部分及び背側部分に結合して、登山靴３とアイゼン１との間の動きを阻止するようにされている。
【００３２】
従って、主プレート１０は、ビンディングバンド２が接続孔１２を介して登山靴３の下側で主プレート１０に装着するように結合されると、登山靴３の上側部分及びヒール部分に結合されて登山靴３に対して安定して固定状態に保持される。
【００３３】
主プレート１０が上述のようにビンディングバンド２によって登山靴３のソールに結合されると、使用者は、側部プレート１１の外側に設けた可動スパイク要素２０の働きで山の氷結した道を滑ることなく歩くことができる。
【００３４】
可動スパイク要素２０は両側部プレート１１の外側に自由に回転できるように装着され、そして可動スパイク要素２０の外側に装着された回転ロックレバー３０は、可動スパイク要素２０を押圧し固定して可動スパイク要素２０の位置が動かないようにする。
【００３５】
図４及び図５に示すように、支持軸１３は側部プレート１１に対して上向きに軸方向に固定され、可動スパイク要素２０の軸方向孔２１は、可動スパイク要素２０を自由に回転させるために支持軸１１に幾分緩く嵌合されている。
【００３６】
可動スパイク要素２０は強度の高い金属材料で形成され、そして両側に一体的に成形された尖ったスパイク部片２５及びスパイク部片の反対側に一体に形成された半円形状の円形プレート部品２６を備えている。
【００３７】
円形プレート部品２６は側部プレート１１に向って突出した位置決め突出部２７を備えている。側部プレート１１は、垂直位置決め孔１８及び水平位置決め孔１９を備え、これらの位置決め孔１８、１９はほぼ９０°の角度を成し、それで、スパイク部片２５が地面に対して垂直に立っている際又は地面に対して水平に横たわっている際に垂直位置決め孔１８及び水平位置決め孔１９はそれぞれ位置決め突出部２７を受けるようにされている。  
【００３８】
可動スパイク要素２０の円形プレート部品２６は突出した保持突出部２２を備え、また側部プレート１１は、予定の範囲内で可動スパイク要素２０を回転させるが、ある特定の位置では可動スパイク要素２０の回転を抑制するように円形プレート部品の保持突出部２２を捕捉する外方へ突出したストッパー１４を備えている。
【００３９】
側部プレート１１のストッパー１４は、可動スパイク要素２０のスパイク部片２５が地面に対向している際には、可動スパイク要素２０の更なる回転を阻止する位置に突出される。これらの位置において、円形プレート部品２６の保持突起部２２はストッパー１４によって保持され、そして可動スパイク要素の回転位置が決められる。
【００４０】
従って、登山中氷結した道において可動スパイク要素２０のスパイク部片２５を地面に対向させるために、可動スパイク要素２０は、保持突出部２２がストッパー１４を越えることなしにストッパー１４によって保持される位置まで順方向に回転される。
【００４１】
この場合、位置決め突出部２７は支持軸１３の下側の側部プレート１１の垂直位置決め孔１８に対応した位置にくる。位置決め突出部２７は、可動スパイク要素２０を回転ロックレバー３０で押圧することにより垂直位置決め孔１８に嵌合される。
【００４２】
回転ロックレバー３０は、可動スパイク要素２０に対して押圧状態を保ち、位置基め突出部２７が垂直位置決め孔１８から外れるのを防ぐようにしている。
【００４３】
使用者が上述のように可動スパイク要素２０のスパイク部片２５を地面に向けて氷結した道を歩く際に、可動スパイク要素２０の回転位置はストッパー１４と保持突出部２２との係合により調節される。
【００４４】
一方、使用者がスパイク部片２５を水平位置にしてスパイク部片２５を地面に接触させずに地面又は岩面上を歩く際には、可動スパイク要素２０の両側部に形成した肩部はストッパー１４によって捕捉される。
【００４５】
上記で説明したように、可動スパイク要素２０の位置は、道の状態に応じて垂直又は水平に正確に調節され、それで、使用者はスパイク部片２５の回転角度をいらいらしながら調整する必要がなく、それにより使用者の不便さが最少化される。
【００４６】
氷結したり雪の積もった道以外の通常の道では、使用者は可動スパイク要素２０の位置を直ちに変えることにより快適に歩くことができる。
【００４７】
この場合、回転ロックレバー３０の押圧状態は、垂直位置決め孔１８から位置決め突出部２７を変位させるために解放される。それで、使用者は可動スパイク要素２５を手で約９０°回転させてスパイク部片２５の位置を地面に対して水平に変えることができる。
【００４８】
こうして、可動スパイク要素２０から突出した位置決め突出部２７は可動スパイク要素２０と一緒に回転し、支持軸１３の近くの水平位置決め孔１９に位置決めされることになる。そして、位置決め突出部２７は、回転ロックレバー３０を押圧することにより水平位置決め孔１９に嵌合される。
【００４９】
回転ロックレバー３０は、位置決め突出部２７を押圧し、水平位置決め孔１９から外れないようにしている。
【００５０】
回転ロックレバー３０は、可動スパイク要素２０が支持軸１３に対して適位置に調節される後、側部プレート１１に蜜に接触する可動スパイク要素２０の回転を阻止するように作用する。回転ロックレバー３０は支持軸１３の端部に位置決めされ、そして支持軸１３には支持軸１３に対して垂直にピン５０が差し込まれ、それにより回転ロックレバー３０は支持軸１３に垂直な方向に自由に回転できる。
【００５１】
回転ロックレバー３０には、押圧カム面３１が形成され、これらの押圧カム面３１はピン５０に対して偏心している。可動スパイク要素２０を所望の位置に回転した後、回転ロックレバー３０が回転される場合に、押圧カム面３１は可動スパイク要素２０を強制的に押圧する。
【００５２】
その結果、可動スパイク要素２０は、回転ロックレバー３０の押圧カム面さ３１によって側部プレート１１に対して押圧され、そして可動スパイク要素２０の動き即ち位置決め突出部２７が垂直位置決め孔１８又は水平位置決め孔１９から外れるのを阻止する。
【００５３】
ハンドル部分３２は、使用者が回転ロックレバー３０を容易に操作して往復動させるようにするため、各回転ロックレバー３０の側部から突出している。
【００５４】
使用者が、可動スパイク要素２０を図６及び図７に示すように支持軸１３に対する位置に変えながら、ハンドル部分３２で回転ロックレバー３０の位置を変えると、可動スパイク要素２０は側部プレート１１の外側に固定するように押圧され又は押圧され固定された状態から解放される。
【００５５】
次に、回転ロックレバー３０を操作して側部プレート１１の外側に可動スパイク要素２０を固定する方法について以下添付図面を参照して詳細に説明する。
【００５６】
道の状態に応じて可動スパイク要素２０を回転させるために、回転ロックレバー３０は、側部プレート１１に対して稼動スパイク要素２０のロック状態を解放して実線で示すように支持軸１３に対して可動スパイク要素２０を回転できるように操作される。
【００５７】
この時に、可動スパイク要素２０は回転ロックレバー３０の押圧カム面３１によって押圧されず、従って可動スパイク要素２０の位置決め突出部２７は垂直位置決め孔１８又は水平位置決め孔１９から外れる。その結果、回転ロックレバー３０と側部プレート１１との間に隙間ができ、可動スパイク要素２０は自由に回転できる。
【００５８】
道の表面の状態に応じて、可動スパイク要素２０は、スパイク部片２５を氷結した道又は雪の積もった道の地面に対向させるように、或いはスパイク部片２５を通常の道の地面に水平になるように回転される。そして、回転ロックレバー３０は、図７に示すように、回転した位置に可動スパイク要素２０を固定するように、押圧カム面３１によって側部プレート１１に対して可動スパイク要素２０を押圧するために操作される。
【００５９】
可動スパイク要素２０の固定状態は使用者の道の状態に応じて回転ロックレバー３０を用いて回転した位置に保持されるので、可動スパイク要素２０を回転することは使用者にとって都合が良い。
【００６０】
一方、側部プレート１１間の主プレート１０の幅は幅調節要素４０で調節されるので、主プレート１０は、登山靴３のサイズに関係なくビンディングバンド２によって登山靴３のソールに容易に装着することができる。
【００６１】
本発明のアイゼンは、使用者の身体の状態又は登山靴の形式に応じて幅調節要素４０によって最適状態であらゆる登山靴に装着できる。
【００６２】
図８に示すように、幅調節要素４０は主プレート１０の固定プレート１０ａと可動プレート１０ｂとを部分的に重ね合わせさせ、固定プレート１０ａと可動プレート１０ｂとは別個に用意される。
【００６３】
固定プレート１０ａにはねじ孔４１が形成され、可動プレート１０ｂには長手方向にのびたガイド孔４２が形成され、ガイド孔４２には結合ボルト４３が貫通し、ねじ孔４１にねじ結合される。
【００６４】
登山靴の幅に応じて主プレート１０の幅を制御するために、結合ボルト４３は外され、固定プレート１０ａと可動プレート１０ｂとの間の幅が適切に調節される。その後、結合ボルト４３はねじ孔４１に締付けられ、固定プレート１０ａ及び可動プレート１０ｂが故意でなしに動くのを防止している。
【００６５】
本発明のアイゼン１の幅は、上記のように登山靴の種々のサイズ又は使用者の種々の身体の大きさに応じて調整できる。
【００６６】
固定プレート１０ａにはその頂面に凹凸部分４４が形成され、また可動プレート１０ｂには、動きを止めるため固定プレート１０ａの凹凸部分４４に結合する連続したラチェット溝４５が形成され、それで、固定プレート１０ａ及び可動プレート１０ｂは、外部から衝撃を受けたり繰り返してウォーキングしても結合ボルト４３の締付け状態において動くことがないようにされている。固定プレート１０ａは好ましくは、ほぼ細長い楕円形の１〜３個の凹凸部分を備え、また可動プレート１０ｂはほぼ半円形状の連続したラチェット溝４５を備えている。従って、凹凸部分４４は、使用者が自分の登山靴にアイゼンを装着する時に、登山靴の側部分に安定して接触するように側部プレート１１に対する適切な位置でラチェット溝４５に安定して嵌合される。
【００６７】
固定プレート１０ａと可動プレート１０ｂとの間の幅は、結合ボルト４３で凹凸部分４４がラチェット溝４５から外れるのを阻止しているので、長期間のウォーキングによって意図せずに変わることがない。
【００６８】
従って、登山靴３のサイズに応じて主プレート１０の幅を微調節する幅調節要素４０として機能する凹凸部分４４及びラチェット溝４５によって細かい長さ調節を行った後、アイゼンは、ウォーキングの便利さに合わせて快適にかつ安全にビンディングバンド２によって登山靴に結合される。
【００６９】
従って、本発明のアイゼンは、使用者の登山又はウォーキングに合わせて適切かつ有利に用いられ得る。
【００７０】
本発明のアイゼンによれば、可動スパイク要素は路面の状態に応じて地面に向って或いは地面に平行に回転されそして回転ロックレバーによってロックされ、それによりウォーキングの便利さ及び安全性を同時に改善する。
【００７１】
さらに、アイゼンは、登山靴のサイズに応じて主プレートの幅が調節され、それにより、快適に装着することができる。
【００７２】
従って、本発明のアイゼンは、高い競争力をもつ他のアイゼンと区別でき、それにより高い利益を上げることができる。
【００７３】
以上、好ましい実施形態について説明してきたが、本発明の変形及び変更は本発明の精神及び範囲並びに特許請求の範囲から逸脱することなしに当業者がなし得ることは理解されるべきである。
【図面の簡単な説明】
【００７４】
【図１】登山靴に装着したアイゼンを示す概略図。
【図２】本発明の好ましい実施形態によるアイゼンを示す斜視図。
【図３】主プレート及び可動スパイク要素の結合構造を示す分解斜視図。
【図４】主プレート及び可動スパイク要素の結合状態を示す拡大部分断面図。
【図５】可動スパイク要素を外すための回転ロックレバーの動作状態を示す拡大部分図。
【図６】可動スパイク要素を固定するの回転ロックレバーの動作状態を示す拡大部分平面図。
【図７】回転ロックレバーによって固定された可動スパイク要素を示す拡大部分図。
【図８】幅調節要素によって長さを調節する主プレートを示す部分断面図。
【符号の説明】
【００７５】
１：アイゼン
２：ビンディングバンド
３：登山靴
１０：主プレート
１０ａ：主プレート１０の固定プレート
１０ｂ：主プレート１０の可動プレート
１１：側部プレート
１２：ビンディングバンド
１３：支持軸
１４：ストッパー
１８：垂直位置決め孔
１９：水平位置決め孔
２０：可動スパイク要素
２１：可動スパイク要素２０の軸方向孔
２２：保持突出部
２５：スパイク部片
２６：円形プレート部品
２７：位置決め突出部
３０：回転ロックレバー
３１：押圧カム面
４０：幅調節要素
４１：ねじ孔
４２：ガイド孔
４３：結合ボルト
４４：凹凸部分
４５：ラチェット溝
５０：ピン
【図１】
2007330758.tif 000003
【図２】
2007330758.tif 000004
【図３】
2007330758.tif 000005
【図４】
2007330758.tif 000006
【図５】
2007330758.tif 000007
【図６】
2007330758.tif 000008
【図７】
2007330758.tif 000009
【図８】
2007330758.tif 000010